(57)【要約】【課題】トリチウムの検出において、より安価に作製することができ、透明性を持たせることで溶液に漬けて精度良く放射線の検出が可能で、且つ繰り返し使用できるため廃棄物を少なくできるトリチウムの検出素子及び検出方法を提供する。【解決手段】平均孔径が３から５０ｎｍである多孔質ガラスの孔内に、放射線を吸収して発光する固体のシンチレータ分子を含浸した後、乾燥して固定化することにより作製したことを特徴とするトリチウムの検出素子及びこの検出素子を用いたトリチウムの検出方法。【選択図】図１
2020197513.tif 000002
【特許請求の範囲】
【請求項１】
試料水に含まれるトリチウムを検出する検出素子であって、ガラスからなる多孔体である多孔質ガラスの孔内および表面に、放射線を吸収して発光するシンチレータを配置することを特徴とするトリチウム検出素子。
【請求項２】
請求項１記載のトリチウム検出素子において、多孔質ガラスの孔径が５０ｎｍ以下であることを特徴とするトリチウム検出素子。
【請求項３】
請求項１または２記載の検出素子と、前記検出素子を収容するための光透過性を有する容器とを備え、前記容器本体にトリチウムを含む試料水を収容して検出素子に前記試料水を含浸させる工程と、前記試料水中のトリチウムから放出されるベータ線に起因して前記検出素子が放出する光を光検知器で受光する工程と、光検知器の信号からトリチウム濃度を算出する工程を有するトリチウムの検出方法。
【請求項４】
請求項３に記載のトリチウム検出後、前記容器に収容された前記試料水を排出するとともに、前記検出素子を乾燥する工程と、乾燥後の前記検出素子を収容した容器に第二のトリチウムを含む試料水を収容し、検出素子に第二の試料水を含浸させる工程と、第二の試料水中のトリチウムから放出されるベータ線に起因して前記検出素子が放出する光を光検知器で受光する工程と、光検知器の信号からトリチウム濃度を算出する工程を有するトリチウムの検出方法。
【発明の詳細な説明】
【技術分野】
【０００１】  本発明は、トリチウムの検出素子及び検出方法に関するものである。
【背景技術】
【０００２】  低エネルギーの放射線を放出する放射性物質の代表例としてトリチウムが挙げられる。トリチウムの放出するベータ線はエネルギーが低く（１８ｋｅＶ）、プラスチックフィルムなどで簡単に遮蔽されてしまうため、シンチレータと呼ばれる放射線を受けて発光する物質をトリチウムの近くに配置する必要がある。そのためトリチウムの検出には液体シンチレーションカウンターが頻繁に使われている。【０００３】  液体シンチレーションカウンターでの測定では、バイアル瓶と呼ばれる容器に有機シンチレータ、有機溶剤、界面活性剤、及びトリチウムを含む水を入れ混合して計測する方法が知られている（非特許文献１参照）。または樹脂材料の多孔質膜に無機シンチレータ粒子を固定化した検出体にトリチウムが含まれる水を接触させて測定する方法が知られている（特許文献１参照）。または棒状のファイバ状のプラスチックシンチレータを複数本まとめ、トリチウムが含まれる水に接触させて測定する方法が知られている（特許文献２参照）。また固体のシンチレータとしてケイ酸粒子にシンチレータを固定化された放射線検出材が報告されている（特許文献３参照）。
【先行技術文献】
【特許文献】
【０００４】
【特許文献１】特開２０１８−８７７４４
【特許文献２】特開２００２−６０４５
【特許文献３】特開２０１６−２０４５７９
【非特許文献】
【０００５】
【非特許文献１】柿内秀樹、赤田尚史、原子力関連施設周辺での環境トリチウムモニタリングの実際、Ｊ．Ｐｌａｓｍａ  Ｆｕｓｉｏｎ  Ｒｅｓ．１８９（１０），６４５−６５１（２０１３）．
【発明の概要】
【発明が解決しようとする課題】
【０００６】  トリチウムから放出されるベータ線は水中での平均自由行程が０．６μｍと短い。そのため液体シンチレータ法が用いられている。しかしながらこの方法では測定ごとに新たにバイアル瓶の中に溶液を調整する必要があり、放射性物質を含んだ廃液が膨大に生じることが問題となる。また樹脂材料の多孔質膜にシンチレータ粒子を固定化した検出体では多孔質の孔径がサブミクロン単位で大きいため透明性が劣り内部での発光の透過率が低いという問題があった。ファイバーシンチレータ法では廃液に含まれるトリチウムの大半がベータ線の届く距離に存在しないため、検出感度が低いことが問題となる。またシンチレータを固定したケイ酸粒子では廃棄物として有機溶液を排出しないが、繰り返し使用に問題があり、また透明で無いために、シンチレータ内部で発光した光の検出が出来ないという問題点がある。【０００７】  そのため安価に作製することができ、透明性があることで溶液に漬けて精度良く放射線の検出が可能で、且つ繰り返し使用できることで廃棄物が少なくなるトリチウムの検出素子及び検出方法が求められていた。【０００８】  本発明はこのような事情に鑑みてなされたものであって、透明かつ測定精度に優れ、安価に製造できて繰り返し使用可能な検出素子を提供することを目的とする。また、精度よく繰り返し検出可能であり、廃棄物が少ないトリチウムの検出方法を提供することを目的とする。
【課題を解決するための手段】
【０００９】  上記の課題を解決するため、本発明の第一の形態は、試料水に含まれるトリチウムを検出する検出素子であって、ガラスからなる多孔体である多孔質ガラスの孔内や表面に放射線を吸収して発光するシンチレータを設置することを特徴とする。本発明の形態において、多孔質ガラスの孔径が５０ｎｍ以下である構成としてもよい。【００１０】  また、本発明の第二の形態は、上記の検出素子と、前記検出素子を収容し、光透過性を有する容器とを備え、前記容器本体にトリチウムを含む試料水を収容し、前記検出素子に前記試料水を含浸させる工程と、前記試料水中のトリチウムから放出されるベータ線に起因して前記検出素子が放出する光を光検知器で受光する工程と、光検知器の信号からトリチウム濃度を算出する工程を有するトリチウムの検出方法を提供する。【００１１】本発明の形態においては前記のトリチウム検出後、前記容器に収容された前記試料水を排出するとともに、前記検出素子を乾燥する工程と、乾燥後の前記検出素子を収容した容器にトリチウムを含む第二の試料水を収容し、前記検出素子に第二の試料水を含浸させる工程と第二の試料水中のトリチウムから放出されるベータ線に起因して前記検出素子が放出する光を光検知器で受光する工程と、光検知器の信号からトリチウム濃度を算出する工程を有するトリチウムの検出方法としてもよい。
【発明の効果】
【００１２】  本発明によれば、透明かつ測定精度に優れ、安価に製造できて繰り返し使用可能なトリチウム検出素子を提供することができる。また、精度よく繰り返し検出可能であり、廃棄物が少ないトリチウムの検出方法を提供することができる。
【図面の簡単な説明】
【００１３】
【図１】本発明の実施の形態におけるトリチウム検出素子について説明するための説明図である。
【図２】多孔質ガラスの光吸収を表す特性図である。
【図３】検出素子の光吸収を表す特性図である。
【発明を実施するための形態】
【００１４】［実施の形態１］はじめに、本発明の実施の形態１について説明する。
【００１５】  まず、検出素子の作製について説明する。図１Ａに示すように、シンチレータ混合物として安息香酸９．７１ｍｍｏｌ／Ｌ、２，５−ジフェニルオキサゾール（ＰＰＯ）１９．０ｍｍｏｌ／Ｌ、１，４−ビス（５−フェニル−２−オキサゾリル）ベンゼン（ＰＯＰＯＰ）０．２６ｍｍｏｌ／Ｌの混合トルエン溶液１０１を容器１０２中に作製する。次に、図１Ｂに示すように、混合トルエン溶液１０１に、平均孔径４ｎｍの多孔質ガラスである多孔体１０３を浸漬する。多孔体１０３は、例えば８（ｍｍ）×８（ｍｍ）で厚さ１（ｍｍ）のチップサイズである。なお、多孔体１０３は平均孔径が５０ｎｍ以下であるとより良い特性となる。また、ここでは多孔体を板状としたが、これに限るものではなく、ファイバ状に形成してもよい。
【００１６】  多孔体１０３をガラス（硼珪酸ガラス）から構成した場合、この平均孔径を５０ｎｍ以下とすることで、シンチレータの蛍光の波長領域の可視領域（４００から８００ｎｍ）では光が透過する。しかし、平均孔径が５０ｎｍを越えて大きくなると、図２に示すように可視領域で急激な透過率の減少が観測される。このことにより、多孔体は平均孔径が５０ｎｍ以下とした方が良い。なお、本実施の形態における多孔体１０３の比表面積は１ｇ当たり１００ｍ２以上である。
【００１７】  上述した多孔体１０３を混合トルエン溶液１０１に２４時間浸漬し、多孔体１０３の孔内にシンチレータを含浸させた後、シンチレータが含浸した多孔体を風乾し、図１Ｃに示すように、窒素ガス気流中に２４時間放置して乾燥し、検出素子１０３ａを作製する。この検出素子は厚さが１ｍｍであったが、シンチレータの蛍光の波長である４７０から４８０ｎｍにおいて透過率は９９％以上であり、透明性が高かった。
【００１８】  またこのようにして含浸された検出素子に水溶液を含浸させ、その後最大で１４時間静置した時の、静置時間とＰＯＰＯＰの吸収である４３０ｎｍの吸光度の関係を示したものが図３である。吸光度は最初の６時間で減少するがその後は一定であり、これによりシンチレータであるＰＯＰＯＰは水につけることである程度は溶出するが、一定量溶出後は溶出せず多孔質ガラス表面上にとどまっていると考えられることが示された。また、同時に入れたＰＰＯ、安息香酸においても他の分析方法で確認したところ同様にとどまっていることが明らかになった。
【００１９】  次に、検出素子１０３ａを用いたトリチウムの測定方法について説明する。作製した検出素子１０３ａを前処理として純水に６時間含浸しその後乾燥窒素気流中で乾燥させる。その後測定対象のトリチウムを含む試料水（１０４）を液体シンチレーションカウンター用のバイアル瓶（１０５）に２ｍｌ入れる。その後図１Ｄに示すように検出素子１０３ａをバイアル瓶に入れて、測定対象の試料水を含浸する。これを図１Ｅに示すように液体シンチレーションカウンターで測定する。このようにして測定したところトリチウム濃度８ｋＢｑ／ｍＬの試料水に対して、１分間の計測で１００ｃｐｍの測定値が得られた。バックグランド値として同じ条件でトリチウムを含まない水を測定したところ３ｃｐｍであり、この濃度のトリチウム水を十分に測定できた。
【００２０】［実施の形態２］次に、本発明の実施の形態２について説明する。
【００２１】  検出素子の作製について説明すると、図１Ａに示すように、シンチレータ混合物として安息香酸１６．３４ｍｍｏｌ／Ｌ、ＰＰＯ８．９５ｍｍｏｌ／Ｌ、ＰＯＰＯＰ０．５４ｍｍｏｌ／Ｌの混合トルエン溶液１０１を容器１０２中に作製する。次に、図１Ｂに示すように、混合トルエン溶液１０１に、平均孔径４ｎｍの多孔質ガラスである多孔体１０３を浸漬する。多孔体１０３は、例えば８（ｍｍ）×８（ｍｍ）で厚さ１（ｍｍ）のチップサイズである。なお、多孔体１０３は平均孔径が５０ｎｍ以下であるとよい。また、ここでは多孔体を板状としたが、これに限るものではなく、ファイバ状に形成してもよい。
【００２２】  多孔体１０３をガラス（硼珪酸ガラス）から構成した場合、この平均孔径を５０ｎｍ以下とすることで、シンチレータの蛍光の波長領域の可視領域（４００から８００ｎｍ）では光が透過する。しかし、平均孔径が５０ｎｍを越えて大きくなると、図２に示すように可視領域で急激な透過率の減少が観測される。このことにより、多孔体は平均孔径が５０ｎｍ以下とした方が良い。なお、本実施の形態における多孔体１０３の比表面積は１ｇ当たり１００ｍ２以上である。
【００２３】  上述した多孔体１０３を混合トルエン溶液１０１に２４時間浸漬し、多孔体１０３の孔内にシンチレータを含浸させた後、シンチレータが含浸した多孔体を風乾し、図１Ｃに示すように、窒素ガス気流中に２４時間放置して乾燥し、検出素子１０３ａを作製する。この検出素子は厚さが１ｍｍであったが、シンチレータの蛍光の波長である４７０から４８０ｎｍにおいて透過率は９９％以上であり、透明性が高かった。
【００２４】  次に、検出素子１０３ａを用いたトリチウムの測定方法について説明する。作製した検出素子１０３ａを前処理として純水に６時間含浸しその後乾燥窒素気流中で乾燥させる。その後測定対象のトリチウムを含む試料水（１０４）を液体シンチレーションカウンター用のバイアル瓶（１０５）に２ｍｌ入れる。その後図１Ｄに示すように検出素子１０３ａをバイアル瓶に入れて、測定対象の試料水を含浸する。これを図１Ｅに示すように液体シンチレーションカウンターで測定する。このようにして測定したところトリチウム濃度８ｋＢｑ／ｍＬの試料水に対して、９９ｃｐｍの測定値が得られた。バックグランド値として同じ条件でトリチウムを含まない水を測定したところ３ｃｐｍであり、この濃度のトリチウム水を十分に測定できた。
【００２５】  その後バイアル瓶より検出素子を取り出し、乾燥させたところ検出素子に含まれていた水は蒸発して、検出素子内の水及びトリチウム水は無くなった。これは多孔質ガラスの水に起因する近赤外領域の吸収での吸光度差が乾燥状態に比較して非常に小さいことで確認した。またこの状態の検出素子にはＦＴ−ＩＲ及び蛍光分析によりシンチレータ混合物が含まれていることが明らかになった。そのため、この検出素子に再びトリチウムを含む試料水を含浸させることで、トリチウムの測定が可能である。
【符号の説明】
【００２６】１０１・・・シンチレータ混合トルエン溶液
１０２・・・容器
１０３・・・多孔体
１０３ａ・・・検出素子
１０４・・・トルエンを含む試料水
１０５・・・バイアル瓶
【図１】
2020197513.tif 000003
【図２】
2020197513.tif 000004
【図３】
2020197513.tif 000005